(57)【要約】      （修正有）【課題】  ＩＤカードを持たない不審者等の撮影情報を記憶手段に記憶させ、不審者が撮影された撮影情報を効率的に検索できるようにした撮影情報管理システムを提供する。【解決手段】  固有情報が記憶された記憶媒体から、固有情報を読み取る読取装置と、撮影領域内の画像の変化を検知した際に自動的に撮影を開始する撮影装置と、読取装置で読み取った固有情報と、撮影装置で撮影された撮影情報とを受信して、前記固有情報と前記撮影情報とを関係付けて記憶させるデータベースを有する処理装置とからなり、前記処理装置は、固有情報と撮影情報とを受信した場合に該固有情報と該撮影情報とを関係付けてデータベースに記憶させ、また、撮影装置から撮影情報だけが受信され、読取装置から固有情報が受信されなかった場合には、固有情報が受信されなかったことを示す識別情報と該撮影情報とを関係付けてデータベースに記憶させる制御手段を有する。【選択図】        図１
2006318351.tif 000002
【特許請求の範囲】
【請求項１】
固有情報が記憶された記憶媒体から、前記固有情報を読み取る読取装置と、
撮影領域内の画像の変化を検知した際に自動的に撮影を開始する撮影装置と、
前記読取装置で読み取った固有情報と、前記撮影装置で撮影された撮影情報とを受信して、前記固有情報と、前記撮影情報とを関係付けて記憶させるデータベースを有する処理装置とからなる撮影情報管理システムであって、
前記処理装置は、前記固有情報と前記撮影情報とを受信した場合に、該固有情報と該撮影情報とを関係付けて前記データベースに記憶させ、また、前記撮影装置から該撮影情報だけが受信され、前記読取装置から固有情報が受信されなかった場合には、該固有情報が受信されなかったことを示す識別情報と該撮影情報とを関係付けて前記データベースに記憶させる制御手段を有することを特徴とする撮影情報管理システム。
【請求項２】
前記撮影装置に、該撮影装置が撮影する撮影領域に存在する機器を特定する機器識別情報が記憶された記憶手段と、前撮影情報を前記処理装置に送信する際に、前記撮影情報と共に機器識別情報を前記処理装置に送信させる手段を有することを特徴とする請求項１記載の撮影情報管理システム。
【請求項３】
前記処理装置に、前記データベースにおいて関係付けられて記憶されている固有情報と撮影情報とを、同一の画像として表示させる手段を有することを特徴とする請求項１記載の撮影情報管理システム。
【請求項４】
前記処理装置に、前記撮影装置から該撮影情報だけが受信され、前記読取装置から固有情報が受信されなかった場合には、異常を知らせる異常通知手段を有することを特徴とする請求項１記載の撮影情報管理システム。
【発明の詳細な説明】
【技術分野】
【０００１】
本発明は、監視カメラなどの撮影装置で撮影した撮影情報を効率的に検索できるようにした撮影情報管理システムに関する。
【背景技術】
【０００２】
従来、監視カメラなどの撮影装置を用いて、不審人物を撮影して防犯に活用したり、犯人の特定を行なうために有力な証拠情報として利用するなどしている。
これらの監視カメラを用いたシステムとしては、所定の場所を監視カメラにより随時に撮影して、撮影情報をビデオとして記憶させておくことで、犯罪や事故などが発生した場合に、それらの記録しておいた撮影情報をディスプレイに映し出して確認したり、また、予め不審者侵入検出器などを備え、不審者が侵入した際に監視カメラを作動させて、不審者を撮影するシステムなどが公知となっている。（例えば、特許文献１乃至４、参照）
【０００３】
しかしながら、例えば社内犯罪のように、犯人が、信用していた社員である場合には、不審者侵入検出器により不審者として撮影されないため、これらの不審者を撮影するためのシステムでは役に立たない。
したがって、このような場合には、所定の場所を監視カメラにより随時に撮影しておいて、それら撮影情報の履歴情報の中から、疑わしい社員が撮影されている映像を探し出して確認するという手間のかかる作業を行なう必要がある。
【０００４】
このようなことから、社員にＩＤカードを持たせて、リーダライタでＩＤカードに記憶されているＩＤ情報を読み取ることで、撮影装置による撮影を開始させ、撮影装置で撮影した撮影情報をＩＤ情報と関係付けて記憶させることで、ＩＤ情報に基づいた撮影情報の検索を行なえるようにしたシステムが既に提案されている。
しかしながら、この場合にＩＤカードを持たない不審者が、不正に侵入した際には、撮影装置で撮影されないことになるので、セキュリティ上も問題となる。
【０００５】
【特許文献１】特開平９−１９８５７７号公報
【特許文献２】特開平１０−２２２７７３号公報
【特許文献３】特開２００１−３０２１３３号公報
【特許文献４】特開２００４−５５１１号公報
【発明の開示】
【発明が解決しようとする課題】
【０００６】
そこで、本発明は、ＩＤカードを持たない不審者や機器の使用者を撮影した撮影情報を効率的に検索できるように記憶手段に記憶させ、ＩＤカードを持たない不審者や機器の使用者が撮影された撮影情報を効率的に検索できるようにした撮影情報管理システムを提供する。
【課題を解決するための手段】
【０００７】
本発明の撮影情報管理システムは、固有情報が記憶された記憶媒体から、前記固有情報を読み取る読取装置と、撮影領域内の画像の変化を検知した際に自動的に撮影を開始する撮影装置と、前記読取装置で読み取った固有情報と、前記撮影装置で撮影された撮影情報とを受信して、前記固有情報と、前記撮影情報とを関係付けて記憶させるデータベースを有する処理装置とからなる撮影情報管理システムであって、前記処理装置は、前記固有情報と前記撮影情報とを受信した場合に、該固有情報と該撮影情報とを関係付けて前記データベースに記憶させ、また、前記撮影装置から該撮影情報だけが受信され、前記読取装置から固有情報が受信されなかった場合には、該固有情報が受信されなかったことを示す識別情報と該撮影情報とを関係付けて前記データベースに記憶させる制御手段を有する、ことを特徴とする。
【０００８】
本発明の撮影情報管理システムは、前記撮影装置に、該撮影装置が撮影する撮影領域に存在する機器を特定する機器識別情報が記憶された記憶手段と、前撮影情報を前記処理装置に送信する際に、前記撮影情報と共に機器識別情報を前記処理装置に送信させる手段を有することを特徴とする。
【０００９】
本発明の撮影情報管理システムは、前記処理装置に、前記データベースにおいて関係付けられて記憶されている固有情報と撮影情報とを、同一の画像として表示させる手段を有することを特徴とする。
【００１０】
本発明の撮影情報管理システムは、前記処理装置に、前記撮影装置から該撮影情報だけが受信され、前記読取装置から固有情報が受信されなかった場合には、異常を知らせる異常通知手段を有することを特徴とする。
【発明の効果】
【００１１】
本発明の撮影情報管理システムは、処理装置が読取装置から、記憶媒体の固有情報を受信されなかった場合には、固有情報が受信されなかったことを示す識別情報と撮影情報とを関係付けてデータベースに記憶させるので、記憶媒体を所持していない不審者が撮影された撮影情報だけをデータベースから効率的に検索することができるという効果がある。
【００１２】
また、本発明の撮影情報管理システムは、撮影情報を処理装置に送信する際に撮影情報と共に機器識別情報を処理装置に送信させるので、撮影情報の検索を行なう際に、機器識別情報に基づいて、データベースから機器を使用した使用人の撮影情報を効率的に検索することができるという効果がある。
【００１３】
更に、本発明の撮影情報管理システムは、表示手段に固有情報と撮影情報とを表示できるので、他人の記憶媒体を盗むなどして不正に使用された場合でも不正行為が行われたことを瞬時に確認できるという効果がある。
【００１４】
また、本発明の撮影情報管理システムは、処理装置に、撮影装置から該撮影情報だけが受信され、読取装置から固有情報が受信されなかった場合には、異常を知らせる異常通知
が行われるので、不正行為が行われたことを瞬時に確認できるという効果がある。
【発明を実施するための最良の形態】
【００１５】
以下、本発明の実施形態に係る撮影情報検索システムについて、図面に基づいて詳細に説明する。
図１は、本発明の実施形態に係る撮影情報検索システムの構成の概要を説明する図、図２は、本発明の実施形態に係る撮影情報検索システムで使用するＩＤカードの平面図、図３は、図２のＡ−Ａ線断面図、図４は、ＩＤカードに備えられている非接触ＩＣタグの平面図、図５及び図６は、本発明の実施形態に係る撮影情報検索システムのシステムブロック図、図７は、本発明の実施形態に係る撮影情報検索システムの撮影情報データベースに登録されている情報の一例を示す図、図８は、本発明の実施形態に係る撮影情報検索システムの処理手順を示すフローチャート図である。
【００１６】
本発明の実施形態に係る撮影情報検索システムは、図１に示すように、入室が管理された部屋１内に、複数のパソコン２ａ、コピー機２ｂ、プリンタ２ｃなどからなる電子機器２が備えられていると共に、それらの電子機器２の使用者６を撮影するための監視カメラ３ａ，３ｂ，３ｃなどからなる撮影装置３が備えられている。
更に、各電子機器２には、読取装置５であるカードリーダ５ａ，５ｂ，５ｃが接続されて備えられている。
このカードリーダ５ａ，５ｂ，５ｃは、使用者６が所持する記憶媒体であるＩＤカード４に記憶された固有情報である社員番号を読み取ることができる機能を有している。
【００１７】
また、部屋１の出入口には、ＩＤカード４により施錠管理された開閉ドア７が備えられ、部屋１の出入口の外側にＩＤカード４に記憶された固有情報である社員番号を読み取るためのカードリーダ５ｄが備えられている。
更に、部屋１の出入口から入室しようとしている者を撮影するための監視カメラ３ｄが備えられ、誰が入室したのかを撮影できるようにしてある。
そして、図５または図６に示すように、パソコン２ａ、コピー機２ｂ、プリンタ２ｃなどの電子機器２と、カードリーダ５ｄと、監視カメラ３ａ，３ｂ，３ｃ，３ｄなどの撮影装置３と、施錠管理装置１０とは、通信回線８によりコンピュータからなる処理装置９と接続されている。
【００１８】
記憶媒体であるＩＤカード４は、電子機器の使用者を特定することができる固有情報が記憶され、更にその固有情報を読取装置により読み取ることができればよいもので、特に限定されるものではないが、図示した記憶媒体では、一例として接触用のＩＣモジュールを有する非接触ＩＣカードを用いた場合が示されている。
このＩＤカード４は、図２乃至図４に示すように、カード基材４ａ，４ｂの内部に非接触ＩＣタグ１１が内蔵されると共に、ＩＣモジュール１２が埋設された構成を有している。
【００１９】
この非接触ＩＣタグ１１は、例えば、非接触データキャリアやＲＦＩＤともいわれ、図４に示すように、プラスチック等の基材１３にコイルパターンからなる送受信手段２０が形成され、当該コイルと容量素子とにより共振回路を形成して一定周波数の電波を受信し送信することができるように構成されている。
また、他の方式として、リーダライタからの搬送波の電磁誘導により電力伝送及びデータ伝送を行うようにしてもよい。
一般的には、１３５ｋＨｚ（中波）、１３．５６ＭＨｚ、２．４５ＧＨｚ（マイクロ波）の周波数帯が使用される。
【００２０】
図示した例の場合、コイルパターンからなる送受信手段１４は、導通部材１５により基材１３の裏面でジャンピング回路を形成してコイル接続端子１６ＣによりＩＣチップ１７の裏面のバンプに接続している。
ＩＣチップ１７には、ＣＰＵからなる制御手段１８と、メモリからなる記憶手段１９とが備えられている。
記憶手段１９には、固有情報である社員番号が登録されている。
【００２１】
図示した例では、容量素子はＩＣチップ１７に内蔵されている。
このような非接触ＩＣタグ１１は、樹脂基材にラミネートしたアルミ箔等の金属箔をフォトエッチングやレジスト印刷後のエッチングによりコイルパターンを形成し、ＩＣチップ１７を装着し、保護用の被覆を設けることにより形成することができる。
その大きさも３０ｍｍ×３０ｍｍ程度以下のサイズとすることができる。
【００２２】
非接触ＩＣタグ１１に使用する樹脂基材１３としては、ＰＥＴやポリプロピレン、ポリエチレン、ポリスチレン、ナイロン等の各種材料を使用することができ、紙であってもよい。
厚みは１５〜３００μｍが使用できるが、強度、加工作業性、コスト等の点から２０〜１００μｍがより好ましい。
金属箔としては銅箔やアルミ箔あるいは鉄箔を使用できるが、コスト、加工性からアルミ箔が好ましく、その厚みは６〜５０μｍ程度が好ましい。
【００２３】
これらの非接触ＩＣタグ１１に記録した情報の読み取りは、読取装置であるカードリーダから非接触ＩＣタグ１１に対して共振する呼び出し信号を発信し、非接触ＩＣタグ１１からの応答信号を読み、且つ非接触ＩＣタグ１１のＩＣチップ１７のメモリに記録された情報を読み取ることで行なわれる。
【００２４】
次に、本発明の実施形態に係る撮影情報検索システムのシステム構成を、図５及び図６に基づいて詳細に説明する。
まず、電子機器２に備えられた読取装置５には、送受信手段２１、記憶手段２２、制御手段２３、インターフェース（Ｉ／Ｆ）２４などが備えられている。
送受信手段２１は、ＩＤカード４の送受信手段２０から固有情報である社員番号を非接触により受信する。
記憶手段２２には、各電子機器２を管理するために予め定められた識別情報である管理番号と制御用プログラムとが搭載されており、送受信手段２１で受信した固有情報である社員番号と、機器の管理番号とを、通信線２５を介して電子機器２へ送信するようにプログラムされている。
【００２５】
また、電子機器２には、認証手段２６、記憶手段２７、固有情報送信手段２８、インターフェース（Ｉ／Ｆ）２９，３０、制御手段３１などが備えられている。
認証手段２６は、読取装置５から受信した固有情報である社員番号から、その使用者がその電子機器２を使用することができると認められた者であるか否かの判定を行なう機能を有し、その判定は、記憶手段２７に記憶された照合用の情報との照合処理により、照合一致した場合にその使用者に対して認証があるとの判定結果が下される。
電子機器２は、認証手段２６での認証が認められるまでは、使用できないようにロック状態となっているが、認証処理で認められた場合には、ロック状態を解除させて電子機器２の使用を可能な状態とする。
また、固有情報送信手段２８は、電子機器２のロックが解除されて使用可能な状態となった際に、読取装置５から受信した固有情報である社員番号を、通信回線８を介して処理装置９へ送信する機能を有している。
【００２６】
次に、撮影装置３には、撮影領域内の画像の変化を検知した際に自動的に撮影を開始する検知機能を有する撮影手段３２、撮影情報送信手段３３、記憶手段３４、インターフェース（Ｉ／Ｆ）３５、制御手段３６などが備えられている。
撮影手段３２は、予め撮影可能な特定の撮影領域が設定され、撮影される目的の場所や電子機器周辺が撮影可能に備えられている。
記憶手段３４には、制御用プログラムと、撮影装置３の識別情報である管理番号とが記憶されている。
撮影情報送信手段３３は、撮影手段３２で撮影された撮影情報と管理番号とを通信回線８を介して処理装置９へ送信する機能を有している。
尚、１台の撮影装置３で撮影可能な電子機器は、１台の電子機器だけでもよいし、また、複数の電子機器が撮影できるように撮影領域を設定してもよい。
【００２７】
処理装置９には、入力手段３７、表示手段３９、インターフェース（Ｉ／Ｆ）４０、登録手段４１、撮影情報選択手段４２、記憶手段４３、計時手段４４、認証手段４５、ドア施錠制御手段４６、制御手段４７、撮影情報データベース４８、社員情報データベース４９、撮影装置情報データベース５０、異常通知手段５８などが備えられている。
社員情報データベース４９には、予め社員情報として、例えば、社員毎に設定された社員番号と、この社員番号に関係付けられて、氏名、役職、所属部署、電話番号、入社日、などの情報が登録されている。
撮影装置情報データベース５０には、各々の撮影装置３で撮影可能な電子機器を特定できるように、各々の撮影装置３の識別情報である管理番号と、各々の撮影装置３で撮影可能な電子機器の管理番号とを関係付けた情報が予め登録されている。
【００２８】
また、登録手段４１は、通信回線８を介して、電子機器２から受信した固有情報である社員番号と、撮影装置３から受信した撮影情報、時刻情報、撮影装置の管理番号とを関係付けて撮影情報データベース４８に登録する機能を有している。
更に、登録手段４１は、電子機器２から受信した固有情報である社員番号に基づいて、社員情報データベース４９に登録されている社員情報の中から予め設定された情報を選択して、撮影情報データベース４８に社員番号と関係付けて登録する機能を有している。
【００２９】
また、処理装置９の計時手段２５は、通信回線８を介し電子機器２から受信した固有情報である社員番号が、何時何分に受信されたものであるのかがわかるようにしてあり、社員番号を受信した時刻と、電子機器２から受信した撮影情報の撮影時刻情報とが一致する状態となるようにして、撮影情報データベース４８に登録される。
つまり、読取装置５で社員番号を読み取ったのと略同じ時刻に撮影された映像には、その社員番号で特定される社員が映るようにしてある。
【００３０】
図７には、撮影情報データベース４８に登録された情報の一例が示されている。
図７に示したように、撮影情報データベース４８に登録される情報としては、固有情報である社員番号に関係付けられて、氏名、所属部署、カメラ番号、カメラの設置場所、撮影時刻、撮影データ、などが登録されている。
したがって、ある特定した社員が撮影された映像だけを選んで見たい場合には、固有情報である社員番号や氏名から、簡単にその社員が撮影された撮影データを表示手段に映し出して見ることができる状態になっている。
【００３１】
また、表示手段３９は、前記処理装置９の撮影情報データベース４８において関係付けられて記憶されている固有情報と撮影情報とを、同一の画像として表示させる機能を有している。
これにより、他人の記憶媒体を盗むなどして不正に使用された場合でも、表示手段３９に表示された固有情報と撮影情報とを見て確認することで、不正行為が行われたことを瞬時に確認できるようにしてある。
【００３２】
また、読取装置５であるカードリーダ５ａ，５ｂ，５ｃにより、社員番号を読み取られていない場合には、固有情報である社員番号が受信されなかったことを示す識別情報として、社員番号の代わりに「０」が登録される。
したがって、この場合には、本来社員番号が登録されるところに「０」が登録されている場合には、不審者が撮影されている可能性が高いと予測される。
したがって、上記の「０」が登録されている場合には、社員の氏名や所属部署も登録されない。
【００３３】
更に、認証手段４５は、部屋１に入室する際に使用するカードリーダ５ｄから受信した固有情報である社員番号の認証処理を行なう機能を有し、認証を受けられた場合に、ドア施錠制御手段４６により、開閉ドアの施錠のロックを解除させるための指示信号を、通信回線８を介して施錠管理装置１０に送信させる機能を有する。
【００３４】
また、撮影情報選択手段４２は、固有情報である社員番号に基づいて、特定の社員が映っている撮影情報を表示手段３９に映し出して見る場合に、その閲覧者が、入力手段３７から入力した固有情報である社員番号から、撮影情報データベース４８に登録されているその社員番号と関係付けられて登録されている撮影データを選択して、表示手段３９に固有情報と撮影情報とを、同一の画像として映し出し表示させる機能を有している。
【００３５】
また、異常通知手段５８は、撮影装置３から撮影情報だけが受信され、読取装置から固有情報が受信されなかった場合に、異常を知らせる機能を有している。
この異常を知らせる機能とは、警告音の発生、電子メールによる警告情報の送信、表示手段での警告表示など種々の方法により、異常があったことを知らせるものである。
【００３６】
また、通信回線８には、図６に示すように、部屋１の出入口の外側に備えられたカードリーダ５ｄと、施錠管理された開閉ドア７の施錠状態を管理する施錠管理装置１０とが接続されている。
カードリーダ５ｄには、送受信手段５１、記憶手段５２、制御手段５３、インターフェース（Ｉ／Ｆ）５４などが備えられている。
送受信手段５１は、ＩＤカード４の送受信手段２０から固有情報である社員番号を非接触により受信する。
記憶手段５２には、カードリーダ５ｄを特定可能な管理番号と、制御用プログラムとが搭載されており、送受信手段５１で受信した固有情報である社員番号と管理番号とを、通信線８を介して処理装置９へ送信するようにプログラムされている。
【００３７】
また、施錠管理装置１０には、開閉ドア７のドアロックの開閉状態を変化させる施錠開閉手段５５、制御手段５６、インターフェース（Ｉ／Ｆ）５７などが備えられている。
施錠開閉手段５５は、処理装置９からドアの施錠のロックを解除させるための指示信号を、通信回線８を介して受信した場合に、ドアロックの解除を行い、入室可能な状態にする。
これにより、社員以外の第三者などのＩＤカード４を所持していない者の入室を防止できるようにしてある。
【００３８】
次に、本発明の実施形態に係る撮影情報管理システムの処理手順を、図６に示すフローチャート図に基づいて説明する。
通用門の入口に設置されている撮影装置３が、撮影領域内に人物が進入することで画像の変化を検知した際に自動的に撮影を開始する。（ステップＳ１）
そして、撮影装置３による撮影は、撮影領域内の画像の変化を検知しない状態になってから、予め定められた時間まで撮影が続けられ自動的に撮影が停止する。
撮影装置３で撮影された撮影情報は、処理装置９へ送信される。（ステップＳ２）
【００３９】
通用門の入口２に備えられている読取装置であるカードリーダ５ｄにより、社員が所持するＩＤカード４に記憶されている固有情報である社員ＩＤ番号の読み取りが行なわれる。（ステップＳ３）
ここで、社員ＩＤ番号の読み取りが行なわれた場合には、次に、読取装置であるカードリーダ５ｄで読み取られた社員ＩＤ番号に基づいた本人認証が行なわれる。（ステップＳ４）
本人認証が承認された場合には、入口のドアの施錠が開き入室可能な状態となり、また、読取装置であるカードリーダ５ｄから処理装置９に対して、読取装置であるカードリーダ５ｄで読み取られた社員ＩＤ番号と、その読取装置であるカードリーダ５ｄを特定可能な読取装置ＩＤ番号とが送信される。（ステップＳ５）
【００４０】
処理装置９は、社員ＩＤ番号と読取装置ＩＤ番号とを受信した場合に、登録手段により撮影情報データベース４８に、受信した社員ＩＤ番号に基づき社員情報データベース４９に登録されている情報の中から氏名、所属部署、を抽出して、社員ＩＤ番号に関係付けて登録すると共に、撮影装置から受信した撮影情報を、読取装置ＩＤ番号に基づいて、カメラ番号、そのカメラ設置場所、撮影時刻、などを関係付けて登録する。（ステップＳ６）
また、処理装置９が撮影装置３から撮影情報を受信してから所定時間以内に、撮影装置３から社員ＩＤ番号を受信しない場合には、処理装置９の記憶手段である撮影情報データベース４８に撮影情報と読取装置ＩＤ番号とを関係付けて記憶させると共に、社員ＩＤ番号が受信されなかったことを示す社員ＩＤ番号未受信の識別情報を関係付けて記憶される。（ステップＳ７）
社員ＩＤ番号が受信されなかったことを示す識別情報は任意に定めればよく、例えば「０」などとして示す。
【００４１】
以上の処理により、ＩＤカード４を所持しない不審者を撮影した撮影情報を、社員ＩＤ番号が受信されなかったことを示す識別情報とを関係付けて記憶させることができ、不審者を撮影した撮影情報だけを抽出して見たい場合でも、その識別情報から簡単に抽出させることができるようにしてある。
【００４２】
上記の実施形態では、記憶媒体として、社員が所持する社員証である社員ＩＤカードを使用した場合について説明したが、記憶媒体は、ＩＤカードだけに限定されるものではなく、その他にも、チケット、ホテル等で使用するルーム鍵、など人が所持する目的で使用する種々の記憶媒体としても適応することができる。
【図面の簡単な説明】
【００４３】
【図１】本発明の実施形態に係る撮影情報検索システムの構成の概要を説明する図である。
【図２】本発明の実施形態に係る撮影情報検索システムで使用するＩＤカードの平面図である。
【図３】図２のＡ−Ａ線断面図である。
【図４】ＩＤカードに備えられている非接触ＩＣタグの平面図である。
【図５】本発明の実施形態に係る撮影情報検索システムのシステムブロック図である。
【図６】本発明の実施形態に係る撮影情報検索システムのシステムブロック図である。
【図７】本発明の実施形態に係る撮影情報検索システムの撮影情報データベースに登録されている情報の一例を示す図である。
【図８】本発明の実施形態に係る撮影情報検索システムの処理手順を示すフローチャート図である。
【符号の説明】
【００４４】
１  入室が管理された部屋
２  電子機器
２ａ  パソコン
２ｂ  コピー機
２ｃ  プリンタ
３  撮影装置
３ａ，３ｂ，３ｃ，３ｄ  監視カメラ
４  ＩＤカード
４ａ，４ｂ  カード基材
５  読取装置
５ａ，５ｂ，５ｃ，５ｄ  カードリーダ
６  電子機器の使用者
７  開閉ドア
８  通信回線
９  処理装置
１０  施錠管理装置
１１  非接触ＩＣタグ
１２  ＩＣモジュール
１３  基材
１５  導通部材
１６Ｃ  コイル接続端子
１７  ＩＣチップ
１８，２３，３１，３６，４７，５３  制御手段
１９，２２，２７，３４，４３，５２  記憶手段
２０，２１，５１  送受信手段
２６  認証手段
２８  固有情報送信手段
２９，３０  インターフェース（Ｉ／Ｆ）
３２  撮影手段
３３  撮影情報送信手段
３７  入力手段
３９  表示手段
４１  登録手段
４２  撮影情報選択手段
４６  ドア施錠制御手段
４８  撮影情報データベース
４９  社員情報データベース
５０  撮影装置情報データベース
５５  施錠開閉手段
５８  警告通知手段
【図１】
2006318351.tif 000003
【図２】
2006318351.tif 000004
【図３】
2006318351.tif 000005
【図４】
2006318351.tif 000006
【図５】
2006318351.tif 000007
【図６】
2006318351.tif 000008
【図７】
2006318351.tif 000009
【図８】
2006318351.tif 000010